【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
ａ）一般式（I）：
【化１】
2004269889.tif 000001
〔式中、
Ｎｕ1、Ｎｕ2は、相互に独立に、-Ｏ、-Ｓ、-Ｓｅ、-ＰＲa、-ＮＲaまたは-ＣＯＯ基を表し、
Ｒaは、水素、置換または未置換のアルキルまたはアリール基であり、
Ｊは、周期表の第１主族または第２主族から選ばれる元素であり、
Ｒ、Ｒ1、Ｒ2およびＲ3は、同じまたは異なる基であり、これらは、相互に独立に、Ｈ、ハロゲン、置換または未置換のＣ1〜Ｃ8アルキル、Ｃ2〜Ｃ8アルケニル、Ｃ3〜Ｃ12シクロアルキル、Ｃ7〜Ｃ13アラルキルおよびＣ6〜Ｃ14アリール基からなる群から選ばれ、Ｒ1がＲ2またはＲ3と環を形成していても良く、Ｒ2がＲ3と環を形成していても良い。〕
で示される化合物を、非極性溶媒に溶解させる工程、
ｂ）一般式（II）：
Ｍ(Ｌ1)W(Ｌ2)Y(Ｌ3)Z      (II)
〔式中、
Ｍは、周期表の第４亜族〜第１２亜族の元素を表し、
Ｌ1は、中性配位子であり、
Ｌ2、Ｌ3は、アニオン性配位子であり、Ｌ1および／またはＬ2はＬ3と、１つまたはそれ以上の共有結合により互いに結合していても良く、
Ｗは、０〜３の整数であり得、
Ｙは、０〜３の整数であり得、
Ｚは、０〜３の整数であり得、３つの変数Ｗ、ＹまたはＺの１つが０である場合、残り２つの変数の合計は、２、３または４に等しい。〕
で示される金属化合物を、極性溶媒に溶解させる工程、
ｃ）溶液ａ）およびｂ）を混合する工程
を含む、触媒の製造方法。
【請求項２】
式（I）において、
Ｎｕ1およびＮｕ2は、-Ｏであり、
Ｊは、周期表の第１主族の元素を表し、
Ｒは、置換または未置換Ｃ6〜Ｃ14アラルキル基からなる群から選ばれ、
Ｒ1、Ｒ2およびＲ3は、同じまたは異なる基であり、相互に独立に、Ｈ、置換または未置換のＣ1〜Ｃ8アルキル基、Ｃ2〜Ｃ8アルケニル基、Ｃ3〜Ｃ12シクロアルキル基、Ｃ7〜Ｃ13アラルキル基およびＣ6〜Ｃ14アリール基からなる群から選ばれ、
式（II）において
Ｍは、Ｔｉ、Ｚｒ、Ｈｆ、Ｃｒ、Ｖ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、ＣｄおよびＨｇからなる群から選ばれ、
Ｌ1は、一般式：(Ｒ13)xＰＨ3-xで示されるホスファン、一般式：(Ｒ13)xＮＨ3-xで示されるアミン、テトラアラルキルエチレンジアミン、一般式：(Ｒ13)2Ｏで示されるエーテル、一般式：(Ｒ13)ＯＨで示されるアルコール、一般式：Ｃ5Ｈ5-x(Ｒ13)xＮで示されるピリジン誘導体、ＣＯ、Ｃ1〜Ｃ12アルキルニトリル、Ｃ6〜Ｃ14アリールニトリル、およびモノ-またはポリエチレン性不飽和二重結合系からなる群から選ばれる有機または無機の中性配位子であり、その中で
Ｒ13は、Ｈ、Ｃ1〜Ｃ8アルキル基、ベンジル基およびＣ6〜Ｃ14アリール基からなる群から選ばれ、
ｘは、０〜３の整数を表し、
Ｌ2、Ｌ3は、ハロゲン化物イオン、式：Ｒ14Ｒ15Ｎで示されるアミドアニオン、Ｃ1〜Ｃ6アルキルアニオン、アリルアニオン、メタリルアニオン、ベンジルアニオンおよびアリールアニオンからなる群から選ばれるアニオン性配位子であり、その中で
Ｒ14およびＲ15は、相互に独立に、Ｈ、Ｃ1〜Ｃ8アルキル基、ベンジル基およびＣ6〜Ｃ14アリール基からなる群から選ばれ、Ｒ14は、Ｒ15と共有結合していても良く、
Ｗは、０〜３の整数であり、
Ｙは、０〜３の整数であり、
Ｚは、０〜３の整数であり得、３つの変数Ｗ、ＹまたはＺの１つが０である場合、残り２つの変数の合計は、２、３または４に等しい
請求項１に記載の触媒の製造方法。
【請求項３】
式（I）において、
Ｎｕ1およびＮｕ2は、-Ｏであり、
Ｊは、リチウムまたは水素であり、
Ｒは、メシチル、２,４,６-トリメチルフェニルまたは２,６-ジイソプロピルフェニルであり、
Ｒ1、Ｒ2およびＲ3は、同じまたは異なる基であり、相互に独立に、Ｈ、Ｃ1〜Ｃ8アルキル基およびＣ6〜Ｃ14アリール基からなる群から選ばれ、
式（II）において
Ｍは、Ｔｉ、Ｚｒ、Ｃｒ、Ｖ、Ｆｅ、Ｃｏ、Ｎｉ、Ｐｄ、ＣｕおよびＺｎからなる群から選ばれ、
Ｌ1は、トリフェニルホスフィン、トリエチルホスフィン、トリメチルホスフィン、トリメチルホスファン、ジベンゾホスホール、トリフェニルホスファイト、トリエチルホスファイト、トリメチルホスファイト、トリフェニルホスファイト、トリメチルアミン、トリエチルアミン、ジメチルアニリン、ジエチルアニリン、ベンジルジメチルアミン、ベンジルジエチルアミン、ジイソプロピルアミン、ジエチルアミン、ジメチルアミン、ジフェニルアミン、フェニレンジアミン、テトラメチルエチレンジアミン、ジエチルエーテル、テトラヒドロフラン、水、メタノール、エタノール、ピリジン、２-ピコリン、３-ピコリン、４-ピコリン、２,３-ルチジン、２,４-ルチジン、２,５-ルチジン、２,６-ルチジン、３,５-ルチジン、ＣＯ、アクリロニトリル、プロピオニトリル、ブチロニトリル、ベンゾニトリル、エテニル、プロペニル、シス-２-ブテニル、トランス-２-ブテニル、シクロヘキセニル、ノルボルネニルおよび１,５-シクロオクタジエンからなる群から選ばれる中性配位子であり、
Ｌ2、Ｌ3は、クロリド、ブロミド、ジメチルアミド、ジエチルアミド、アミド、２-カルボン酸メタリルエステル、アリル、メチル、エチル、ｎ-プロピル、ｉ-プロピル、ｎ-ブチル、ｔ-ブチル、ヘキシルおよびフェニルからなる群から選ばれるアニオン性配位子であり、
Ｗは、０〜３の整数であり、
Ｙは、０〜３の整数であり、
Ｚは、０〜３の整数であり得、３つの変数Ｗ、ＹまたはＺの１つが０である場合、残り２つの変数の合計は、２、３または４に等しい
請求項１に記載の触媒の製造方法。
【請求項４】
式（I）において、
Ｎｕ1およびＮｕ2は、-Ｏであり、
Ｊは、水素またはリチウムであり、
Ｒは、メシチルまたは２,６-ジイソプロピルフェニルであり、
Ｒ1は、ｔ-ブチルであり、
Ｒ2は、Ｈであり、
Ｒ3は、ｔ-ブチルであり、
式（II）において
Ｍは、ＮｉまたはＰｄであり
Ｌ1は、テトラメチレンジアミン、トリフェニルホスファン、トリメチルホスファンまたは１,５-シクロオクタジエンであり、
Ｌ2、Ｌ3は、クロリド、フェニルまたはメチルであり、
Ｗは、１または２であり、
Ｙは、１または２であり、
Ｚは、１または２である
請求項１に記載の触媒の製造方法。
【請求項５】
ａ）一般式（I）：
【化２】
2004269889.tif 000002
〔式中、
Ｎｕ1、Ｎｕ2は、相互に独立に、-Ｏ、-Ｓ、-Ｓｅ、-ＰＲa、-ＮＲaまたは-ＣＯＯ基を表し、
Ｒaは、水素、置換または未置換のアルキルまたはアリール基であり、
Ｊは、周期表の第１主族または第２主族から選ばれる元素であり、
Ｒ、Ｒ1、Ｒ2およびＲ3は、同じまたは異なる基であり、これらは、相互に独立に、Ｈ、ハロゲン、置換または未置換のＣ1〜Ｃ8アルキル、Ｃ2〜Ｃ8アルケニル、Ｃ3〜Ｃ12シクロアルキル、Ｃ7〜Ｃ13アラルキルおよびＣ6〜Ｃ14アリール基からなる群から選ばれ、Ｒ1がＲ2またはＲ3と環を形成していても良く、Ｒ2がＲ3と環を形成していても良い。〕
で示される化合物を、非極性溶媒に溶解させ、
ｂ）一般式（II）：
Ｍ(Ｌ1)W(Ｌ2)Y(Ｌ3)Z      (II)
〔式中、
Ｍは、周期表の第４亜族〜第１２亜族の元素を表し、
Ｌ1は、中性配位子であり、
Ｌ2、Ｌ3は、アニオン性配位子であり、Ｌ1および／またはＬ2はＬ3と、１つまたはそれ以上の共有結合により互いに結合していても良く、
Ｗは、０〜３の整数であり得、
Ｙは、０〜３の整数であり得、
Ｚは、０〜３の整数であり得、３つの変数Ｗ、ＹまたはＺの１つが０である場合、残り２つの変数の合計は、２、３または４に等しい。〕
で示される金属化合物を、極性溶媒に溶解させ、
ｃ）溶液ａ）およびｂ）を混合する
ことにより製造した触媒。
【請求項６】
請求項５に記載の触媒を、１-オレフィン、シクロオレフィン、官能化１-オレフィンおよびこれらの混合物からなる群から選ばれるオレフィン性モノマーの存在下で反応させることを含む、オレフィン(コ)ポリマーの製造方法。
【請求項７】
ホウ素化合物またはアルミニウム化合物を助触媒として反応混合物に添加する、請求項６に記載の方法。
【請求項８】
助触媒対式（II）で示される化合物中の金属Ｍのモル比が、１：１０〜１：１００００の範囲内である請求項７に記載の方法。
【請求項９】
アルミノキサンを助触媒として使用する、請求項６に記載の方法。
【請求項１０】
重合を極性の溶媒または溶媒混合物中で行う、請求項６に記載の方法。
【請求項１１】
請求項５に記載の触媒と助触媒とを反応させることにより製造した反応生成物。
【請求項１２】
請求項５に記載の触媒を、１-オレフィン、シクロオレフィン、官能化１-オレフィンおよびこれらの混合物からなる群から選ばれるオレフィン性モノマーの存在下で反応させることにより製造したオレフィン(コ)ポリマー。
【請求項１３】
請求項１２に記載のオレフィン(コ)ポリマーを加工することを含む、成形品の製造方法。
【請求項１４】
請求項１３の方法により製造した成形品。
【手続補正２】
【補正対象書類名】明細書
【補正対象項目名】００１０
【補正方法】変更
【補正の内容】
【００１０】
驚くべきことに、特別なアゾ染料は、アニオン性配位子系の群に錯化のために挿入し得ることを見出した。
本発明は、ａ）一般式（I）：
【化２】
2004269889.tif 000003
〔式中、
Ｎｕ1、Ｎｕ2は、相互に独立に、-Ｏ、-Ｓ、-Ｓｅ、-ＰＲa、-ＮＲaまたは-ＣＯＯ基を表し、
Ｒaは、水素、置換または未置換のアルキルまたはアリール基であり、
Ｊは、周期表の第１主族または第２主族から選ばれる元素を表し、
Ｒ、Ｒ1、Ｒ2およびＲ3は、同じまたは異なる基であり、これらは、相互に独立に、Ｈ、ハロゲン、置換または未置換のＣ1〜Ｃ8アルキル、Ｃ2〜Ｃ8アルケニル、Ｃ3〜Ｃ12シクロアルキル、Ｃ7〜Ｃ13アラルキルおよびＣ6〜Ｃ14アリール基からなる群から選ばれ、Ｒ1がＲ2またはＲ3と環を形成していても良く、Ｒ2がＲ3と環を形成していても良い。〕
で示される化合物を、非プロトン性非極性溶媒に溶解させること、
ｂ）一般式（II）：
Ｍ(Ｌ1)W(Ｌ2)Y(Ｌ3)Z      (II)
〔式中、
Ｍは、周期表の第４亜族〜第１２亜族の元素を表し、
Ｌ1は、中性配位子であり、
Ｌ2、Ｌ3は、相互に独立にアニオン性配位子であり、Ｌ1および／またはＬ2はＬ3と、１つまたはそれ以上の共有結合により互いに結合していても良く、
Ｗは、０〜３の整数であり得、
Ｙは、０〜３の整数であり得、
Ｚは、０〜３の整数であり得、３つの変数Ｗ、ＹまたはＺの１つが０である場合、残り２つの変数の合計は、２、３または４に等しい。〕
で示される金属化合物を、非プロトン性極性溶媒に溶解させること、
ｃ）溶液ａ）およびｂ）を混合すること
を含む、触媒の製造方法を包含する。
【手続補正３】
【補正対象書類名】明細書
【補正対象項目名】００１１
【補正方法】変更
【補正の内容】
【００１１】
本発明の方法は、
式中の
Ｎｕ1およびＮｕ2は、-Ｏであり、
Ｊは、周期表の第１主族の元素を表し、
Ｒは、置換または未置換Ｃ6〜Ｃ14アラルキル基からなる群から選ばれ、
Ｒ1、Ｒ2およびＲ3は、同じまたは異なる基であり、相互に独立に、Ｈ、置換または未置換のＣ1〜Ｃ8アルキル基、Ｃ2〜Ｃ8アルケニル基、Ｃ3〜Ｃ12シクロアルキル基、Ｃ7〜Ｃ13アラルキル基、Ｃ6〜Ｃ14アリール基からなる群から選ばれる
式（I）で示される化合物と、
式中の
Ｍは、Ｔｉ、Ｚｒ、Ｈｆ、Ｃｒ、Ｖ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、ＣｄおよびＨｇからなる群から選ばれ、
Ｌ1は、一般式：(Ｒ13)xＰＨ3-xで示されるホスファン、一般式：(Ｒ13)xＮＨ3-xで示されるアミン、テトラアルキルエチレンジアミン、テトラアリールエチレンジアミン、一般式：(Ｒ13)2Ｏで示されるエーテル、一般式：(Ｒ13)ＯＨで示されるアルコール、一般式：Ｃ5Ｈ5-x(Ｒ13)xＮで示されるピリジン誘導体、ＣＯ、Ｃ1〜Ｃ12アルキルニトリル、Ｃ6〜Ｃ14アリールニトリル、およびモノ-またはポリエチレン性不飽和二重結合系からなる群から選ばれる有機または無機の中性配位子であり、その中で
Ｒ13は、Ｈ、Ｃ1〜Ｃ8アルキル基、ベンジル基およびＣ6〜Ｃ14アリール基からなる群から選ばれ、
ｘは、０〜３の整数を表し、
Ｌ2、Ｌ3は、ハロゲン化物イオン、式：Ｒ14Ｒ15Ｎで示されるアミドアニオン、Ｃ1〜Ｃ6アルキルアニオン、アリルアニオン、メタリルアニオン、ベンジルアニオンおよびアリールアニオンからなる群から選ばれるアニオン性配位子であり、その中で
Ｒ14およびＲ15は、相互に独立に、Ｈ、Ｃ1〜Ｃ8アルキル基、ベンジル基およびＣ6〜Ｃ14アリール基からなる群から選ばれ、Ｒ14は、Ｒ15と共有結合していても良く、
Ｗは、０〜３の整数であり、
Ｙは、０〜３の整数であり、
Ｚは、０〜３の整数であり得、３つの変数Ｗ、ＹまたはＺの１つが０である場合、残り２つの変数の合計は、２、３または４に等しい
式（II）で示される化合物と
を反応させることを含む。
【手続補正４】
【補正対象書類名】明細書
【補正対象項目名】００１２
【補正方法】変更
【補正の内容】
【００１２】
本発明の方法は、
式中の
Ｎｕ1およびＮｕ2は、-Ｏであり、
Ｊは、リチウムまたは水素であり、
Ｒは、メシチル、２,４,６-トリメチルフェニルまたは２,６-ジイソプロピルフェニルであり、
Ｒ1、Ｒ2およびＲ3は、同じまたは異なる基であり、相互に独立に、Ｈ、Ｃ1〜Ｃ8アルキル基およびＣ6〜Ｃ14アリール基からなる群から選ばれる
式（I）で示される化合物と、
式中の
Ｍは、Ｔｉ、Ｚｒ、Ｃｒ、Ｖ、Ｆｅ、Ｃｏ、Ｎｉ、Ｐｄ、ＣｕおよびＺｎからなる群から選ばれ、
Ｌ1は、トリフェニルホスフィン、トリエチルホスフィン、トリメチルホスフィン、トリメチルホスファン、ジベンゾホスホール、トリフェニルホスファイト、トリエチルホスファイト、トリメチルホスファイト、トリフェニルホスファイト、テトラメチルエチレンジアミン、トリメチルアミン、トリエチルアミン、ジメチルアニリン、ジエチルアニリン、ベンジルジメチルアミン、ベンジルジエチルアミン、ジイソプロピルアミン、ジエチルアミン、ジメチルアミン、ジフェニルアミン、フェニレンジアミン、ジエチルエーテル、テトラヒドロフラン、水、メタノール、エタノール、ピリジン、２-ピコリン、３-ピコリン、４-ピコリン、２,３-ルチジン、２,４-ルチジン、２,５-ルチジン、２,６-ルチジン、３,５-ルチジン、ＣＯ、アクリロニトリル、アセトニトリル、プロピオニトリル、ブチロニトリル、ベンゾニトリル、エテニル、プロペニル、シス-２-ブテニル、トランス-２-ブテニル、シクロヘキセニルおよびノルボルネニルからなる群から選ばれる中性配位子であり、
Ｌ2、Ｌ3は、クロリド、ブロミド、ジメチルアミド、ジエチルアミド、アミド、２-カルボン酸メタリルエステル、アリル、メチル、エチル、ｎ-プロピル、ｉ-プロピル、ｎ-ブチル、ｔ-ブチル、ヘキシルおよびフェニルからなる群から選ばれるアニオン性配位子であり、
Ｗは、０〜３の整数であり、
Ｙは、０〜３の整数であり、
Ｚは、１〜３の整数であり得、３つの変数Ｗ、ＹまたはＺの１つが０である場合、残り２つの変数の合計は、２、３または４に等しい
式（II）で示される化合物と
を反応させることも含む。
【手続補正５】
【補正対象書類名】明細書
【補正対象項目名】００１３
【補正方法】変更
【補正の内容】
【００１３】
本発明の方法はさらに、
式中の
Ｎｕ1およびＮｕ2は、-Ｏであり、
Ｊは、リチウムまたは水素であり、
Ｒは、メシチルまたは２,６-ジイソプロピルフェニルであり、
Ｒ1は、ｔ-ブチルまたはフェニルであり、
Ｒ2は、Ｈであり、
Ｒ3は、ｔ-ブチルである
式（I）で示される化合物と、
式中の
Ｍは、ＮｉまたはＰｄであり
Ｌ1は、テトラメチレンジアミン、トリフェニルホスファン、トリメチルホスファンまたは１,５-シクロオクタジエンであり、
Ｌ2は、クロリド、フェニルまたはメチルであり、
Ｌ3は、クロリド、フェニルまたはメチルであり、
Ｗは、０〜３の整数であり、
Ｙは、０〜３の整数であり、
Ｚは、０〜３の整数であり、３つの変数Ｗ、ＹまたはＺの１つが０である場合、残り２つの変数の合計は、２、３または４に等しい
式（II）で示される化合物と
を反応させることを含む。
【手続補正６】
【補正対象書類名】明細書
【補正対象項目名】００２６
【補正方法】変更
【補正の内容】
【００２６】
・一般式：ＳｉＲ10Ｒ11Ｒ12（式中Ｒ10、Ｒ11およびＲ12は、相互に独立に、水素、Ｃ1〜Ｃ8アルキル基、ベンジル基およびＣ6〜Ｃ14アリール基からなる群から選ばれる。）で示されるシリル基。トリメチルシリル、トリエチルシリル、トリイソプロピルシリル、ジエチルイソプロピルシリル、ジメチルヘキシルシリル、ｔ-ブチルジメチルシリル、ｔ-ブチルジフェニルシリル、トリベンジルシリル、トリフェニルシリルおよびトリ-ｐ-キシリルシリル基が好ましい。トリメチルシリル基およびｔ-ブチルジメチルシリル基がより好ましい。
・一般式：ＯＳｉＲ10Ｒ11Ｒ12（式中Ｒ10、Ｒ11およびＲ12は、相互に独立に、水素、Ｃ1〜Ｃ8アルキル基、ベンジル基およびＣ6〜Ｃ14アリール基からなる群から選ばれる。）で示されるシリルオキシ基。トリメチルシリルオキシ、トリエチルシリルオキシ、トリイソプロピルシリルオキシ、ジエチルイソプロピルシリルオキシ、ジメチルヘキシルシリルオキシ、ｔ-ブチルジメチルシリルオキシ、ｔ-ブチルジフェニルシリルオキシ、トリベンジルシリルオキシ、トリフェニルシルリオキシおよびトリ-ｐ-キシリルシリルオキシ基が好ましい。トリメチルシリルオキシ基およびｔ-ブチルジメチルシリルオキシ基がより好ましい。
【手続補正７】
【補正対象書類名】明細書
【補正対象項目名】００２７
【補正方法】変更
【補正の内容】
【００２７】
・五員環ないし六員環の窒素含有ヘテロアリール基、例えばＮ-ピロリル、ピロール-２-イル、ピロール-３-イル、Ｎ-イミダゾリル、２-イミダゾリル、４-イミダゾリル、１,２,４-トリアゾール-３-イル、１,２,４-トリアゾール-４-イル、２-ピリジル、３-ピリジル、４-ピリジル、３-ピリダジニル、４-ピリダジニル、２-ピリジル、３-ピリジル、４-ピリジル、３-ピリダジニル、４-ピリダジニル、２-ピリミジニル、４-ピリミジニル、５-ピリミジニル、Ｎ-インドリルおよびＮ-カルバゾリル。これらの五員環および六員環の窒素原子含有へテロアリール基は、他の置換基、例えばＣ1〜Ｃ8アルキル基を有し得る。メチル、エチル、ｎ-プロピル、ｉ-プロピル、ｎ-ブチル、ｉ-ブチル、sec-ブチル、ｔ-ブチル、ｎ-ペンチル、ｉ-ペンチル、sec-ペンチル、ネオペンチル、１,２-ジメチルプロピル、ｉ-アミル、ｎ-ヘキシル、ｉ-ヘキシル、sec-ヘキシル、ｎ-ヘプチル、ｉ-ヘプチルおよびｎ-オクチルがここで好ましい。Ｃ1〜Ｃ6アルキル基がより好ましい。Ｃ1〜Ｃ4アルキル基、例えばメチル、エチル、ｎ-プロピル、ｉ-プロピル、ｎ-ブチル、ｉ-ブチル、sec-ブチルおよびｔ-ブチルが最も好ましい。これらのＣ1〜Ｃ8アルキル基は、ヘテロアリール基上でさらなる置換基も有し得る。これらは以下のものを含む：
【手続補正８】
【補正対象書類名】明細書
【補正対象項目名】００３１
【補正方法】変更
【補正の内容】
【００３１】
＊一般式：ＳｉＲ10Ｒ11Ｒ12（式中Ｒ10、Ｒ11およびＲ12は、相互に独立に、水素、Ｃ1〜Ｃ8アルキル基、ベンジル基およびＣ6〜Ｃ14アリール基からなる群から選ばれる。）で示されるシリル基。トリメチルシリル、トリエチルシリル、トリイソプロピルシリル、ジエチルイソプロピルシリル、ジメチルヘキシルシリル、ｔ-ブチルジメチルシリル、ｔ-ブチルジフェニルシリル、トリベンジルシリル、トリフェニルシリルおよびトリ-ｐ-キシリルシリル基が好ましい。トリメチルシリル基およびｔ-ブチルジメチルシリル基がより好ましい。
＊一般式：ＯＳｉＲ10Ｒ11Ｒ12（式中Ｒ10、Ｒ11およびＲ12は、相互に独立に、水素、Ｃ1〜Ｃ8アルキル基、ベンジル基およびＣ6〜Ｃ14アリール基からなる群から選ばれる。）で示されるシリルオキシ基。トリメチルシリルオキシ、トリエチルシリルオキシ、トリイソプロピルシリルオキシ、ジエチルイソプロピルシリルオキシ、ジメチルヘキシルシリルオキシ、ｔ-ブチルジメチルシリルオキシ、ｔ-ブチルジフェニルシリルオキシ、トリベンジルシリルオキシ、トリフェニルシルリオキシおよびトリ-ｐ-キシリルシリルオキシ基が好ましい。トリメチルシリルオキシ基およびｔ-ブチルジメチルシリルオキシ基がより好ましい。
【手続補正９】
【補正対象書類名】明細書
【補正対象項目名】００４８
【補正方法】変更
【補正の内容】
【００４８】
他の適当な群の助触媒は、アルミノキサンである。
アルミノキサンの構造は、正確には分からない。独国特許出願公開第3 007 725号に記載されているようにそれらは、アルキルアルミニウムの慎重な部分加水分解により得られる生成物である。これらの生成物は、純粋形態ではなく、（Va）および（Vb）タイプの開鎖および環式構造物の混合物として生ずる。これらの混合物は、おそらく相互に動的平衡で存在する。
【化５】
2004269889.tif 000004
式（Va）および（Vb）中のＲm基は、相互に独立に、置換または未置換Ｃ1〜Ｃ12アルキル基、置換または未置換Ｃ3〜Ｃ12シクロアルキル基、置換または未置換Ｃ7〜Ｃ20アラルキル基、置換または未置換Ｃ6〜Ｃ14アリール基からなる群から選ばれる。
【手続補正１０】
【補正対象書類名】明細書
【補正対象項目名】００５４
【補正方法】変更
【補正の内容】
【００５４】
重合のための開始反応の容易さは、配位子Ｌ1の性質に決定的に依存する。そのような反応活性な配位性を有する配位子Ｌ1は、好ましくは、オレフィン性の基を有し、それにより金属が錯化される化合物である。ニトリル、およびエーテル官能基を有する化合物も適当である。
本発明の方法から得ることができる触媒および助触媒は一緒に、重合における触媒系として活性な反応生成物を形成する。
【手続補正１１】
【補正対象書類名】明細書
【補正対象項目名】００５９
【補正方法】変更
【補正の内容】
【００５９】
本発明の方法により得ることができる触媒を、他の自体既知の重合触媒１種またはそれ以上と一緒に使用することもできる。従って該触媒を、以下のものと一緒に使用することができる：
・チーグラー・ナッタ触媒、
・元素周期表の第４亜族〜第６亜族の遷移金属の担持メタロセン触媒、
・国際公開第96/23010号に開示されているような後期遷移金属触媒、
・国際公開第98/27124号に開示されているようなピリジルジイミン配位子を有するＦｅ-錯体またはＣｏ錯体、およびまた
・Phillips による酸化クロム触媒。
ここで、一方で異なる触媒を相互に混合し、それらを一緒に投与することができ、または共同の担体で共に担持された錯体を使用することができ、また異なる触媒を重合容器内に同じまたは異なる点で別々に投与することもできる。
【手続補正１２】
【補正対象書類名】明細書
【補正対象項目名】００６２
【補正方法】変更
【補正の内容】
【００６２】
あらゆる作業を、シュレンク管技術により、空気および水分を排除して精製アルゴン雰囲気で行った。装置を、使用前にオイルポンプ減圧下で徹底的に加熱し、精製アルゴンでリンスした。ＮＭＲ管もアルゴン下で充填した。
ポリマー粘度を、ISO 1628-3 で測定した。モル質量を、DIN 55672 に従い行ったＧＰＣにより測定した。
カラムクロマトグラフィーによる精製のために使用するものを含めて、反応を行うために使用したあらゆる溶媒から、水および空中酸素を除去した。Machery-Nagel からのシリカゲル被覆（Polygram(商標) SIL G/UV254）または酸化アルミニウム被覆（Polygram(商標) ALOX N/UV254）薄層板を、反応経過の薄層クロマトグラフ分析のために使用した。以下の収着剤を、カラムクロマトグラフィーのために使用した：
・シリカゲル６０、粒度４０〜６０μｍ、２３０〜４００メッシュ（ASTM）（Baker）
・キースラガー、精製済み、焼成済み、Erg. B. 6 (Riedel-de Haeen)。
ＮＭＲスペクトルを、重水素化溶媒中２９３Ｋで記録した。化学シフトはｐｐｍで示される。
1Ｈ-ＮＭＲ：溶媒による内部標準、ＣＤＣｌ3 δ＝７.２６；Ｃ6Ｄ6 δ＝７.１６；ＳｉＭｅ4対照（ＳｉＭｅ4 δ＝０）。
13Ｃ{1Ｈ}-ＮＭＲ：溶媒による内部標準、ＣＤＣｌ3 δ＝７７.０；Ｃ6Ｄ6 δ＝１２８.０；ＳｉＭｅ4対照（ＳｉＭｅ4 δ＝０）。
【手続補正１３】
【補正対象書類名】明細書
【補正対象項目名】００６３
【補正方法】変更
【補正の内容】
【００６３】
本発明の配位子の説明：
ジアゾ化の一般手順（実施例１.１および１.２）
メシチルアミン（４５ｍｍｏｌ）および水２５ｍｌで希釈したＨＢＦ4溶液（１８０ｍｍｏｌ、水中４８％の溶液２３.５ｍｌ）を、０℃で反応させた。次いで水４ｍｌ中に溶解させたＮａＮＯ2（４５ｍｍｏｌ、３.１ｇ）を、ゆっくりと、反応混合物についての認識できる反応が、ヨウ素-カリウム デンプン紙で始まるまで滴下して加えた。５分間の攪拌後にジアゾニウム塩を、２ＮのＮａＯＨ溶液（４００ｍｍｏｌ）中１,３-ジヒドロキシアリール誘導体（４５ｍｍｏｌ）の溶液に添加した。次いでこれを０℃でさらに２時間攪拌し、トルエン１５０ｍｌを添加した。相分離が完了すれば、水１００ｍｌおよび２０％のＨＣｌ ２０ｍｌを有機相に添加し、徹底的に混合した。再度の相分離後にそれらを、各場合に水５０ｍｌで２回洗浄し、あらゆる揮発成分を、有機相から減圧で除去した。次いでオレンジ-赤色残留物を、ペンタン６０ｍｌ中に入れ、濾過した。次いで残留物を乾燥した。さらなる生成物を、−２０℃での結晶化により濾液から得ることができる。
【手続補正１４】
【補正対象書類名】明細書
【補正対象項目名】００６９
【補正方法】変更
【補正の内容】
【００６９】
実施例１.２：
分析. Ｃ26Ｈ38Ｎ2Ｏ2(３９４.５９)  計算値：Ｃ７９.１４、Ｈ９.７１、Ｎ７.１０、Ｏ４.０５；測定値：Ｃ７９.３、Ｈ９.６、Ｎ６.６。
Ｓｍｐ：１２９℃。
1Ｈ-ＮＭＲ(ＣＤＣｌ3中)[δ]：１.２２(ｄ、６Ｈ、3ＪHH＝６.９Ｈｚ、ＣＨ3、ｉ-Ｐｒ)、１.４３(ｓ、１８Ｈ、ｔ-Ｂｕ)、３.０９(ｓｐ、２Ｈ、3ＪHH＝６.９Ｈｚ、ＣＨ、ｉ-Ｐｒ)、７.２８(ｄ、２Ｈ、3ＪHH＝７.３Ｈｚ、ＣＨ、Ａｒ)、７.３２(ｔ、１Ｈ、3ＪHH＝７.３Ｈｚ、ＣＨ、Ａｒ)、７.４２(ｓ、１Ｈ、ＣＨ、Ａｒ)、８.０(ｂｒ、１Ｈ、ＯＨ)、１３.３(ｂｒ、１Ｈ、ＯＨ)。
13Ｃ{1Ｈ}-ＮＭＲ(ＣＤＣｌ3中)[δ]：２３.９(ＣＨ3、ｉ-Ｐｒ)、２７.９(ＣＨ、ｉ-Ｐｒ)、２９.６(ＣＨ3、ｔ-Ｂｕ)、３４.５(Ｃ、ｔ-Ｂｕ)、１２３.８(ＣＨ、Ａｒ)、１２６.９(Ｃ、Ａｒ)、１２８.４(ＣＨ、Ａｒ)、１３２.５(ＣＨ、Ａｒ)、１４０.６(Ｃ、Ａｒ)、１４７.９(Ｃ、Ａｒ)。
ＩＲ：１２８６(ｍ、ν(N=N))、３３９０(ｓ、ν(OH,NH))。